【手続補正書】
【提出日】平成18年9月13日(2006.9.13)
【手続補正１】
【補正対象書類名】特許請求の範囲
【補正対象項目名】全文
【補正方法】変更
【補正の内容】
【特許請求の範囲】
【請求項１】
選択された発振周波数を有する信号を供給する集積回路と一緒に形成されたフィードバック発振器装置であって、
・自身の動作主表面と反対側に位置する自身の等電位主表面上に、導電接地面を有している半導体材料基板、
・入力および出力を少なくとも部分的に前記半導体材料基板上に、該半導体材料基板の前記動作主表面に設けて有しており、前記入力に生じている信号を代表する信号を前記出力にもたらすことができる増幅器、および
・伝達システムであって、
前記発振周波数に関連した波長の４分の１の長さであり、前記半導体基板の前記動作主表面に設けられ、実質的に一端が前記動作主表面において前記増幅器出力に、その間において提供される、異なる長さの結合されたコンダクタのペアのいかなるメンバーなしに、電気的に接続される一方で、前記他端においては前記動作主表面上の他の構造への他の接続がなされていない細長い入力コンダクタと、
前記発振周波数に関連した波長の４分の１の長さであり、前記半導体基板の前記動作主表面に設けられ、実質的に一端が前記動作主表面において前記増幅器入力に、その間において提供される、異なる長さの結合されたコンダクタのペアのいかなるメンバーなしに、電気的に接続される一方で、前記他端においては前記動作主表面上の他の構造への他の接続がなされていない細長い出力コンダクタとを有し、
前記入力コンダクタは、前記動作主表面上においてその間における任意の実質的な電磁結合を避けるために、前記出力コンダクタから十分に間隔が空けられている、伝達システム
からなる装置。
【請求項２】
前記半導体材料基板が、ガリウムヒ素で形成されている請求項１に記載の装置。
【請求項３】
前記伝達システムと供に、前記増幅器出力を前記増幅器入力へと電気的に接続するキャパシタをさらに有している請求項１に記載の装置。
【請求項４】
前記増幅器が、
少なくとも部分的に前記半導体材料内に形成され、第１および第２の終端領域ならびに制御領域を有し、該制御領域により電気的活性化によって、前記第１および第２の終端領域の間に或る選択された導電性の導電経路を実効的にもたらすように導かれることができ、前記第１および第２の終端領域のうちの選択された１つが前記増幅器出力へと接続され、前記制御領域が前記増幅器入力へと接続されているトランジスタ
からなる請求項２に記載の装置。
【請求項５】
前記伝達システムが、それと直列に、共振周波数において極端なインピーダンス値を供に呈するような周波数依存のインピーダンスを有する少なくとも１つの回路部分を有している請求項１に記載の装置。
【請求項６】
前記第１および第２の終端領域のうちの残りの１つが、前記導電接地面へと接続されたインダクタンスを有している請求項４に記載の装置。
【請求項７】
前記キャパシタが、コンダクタが接続されてなるバラクタを含み、該コンダクタを通じて、低周波電圧を前記バラクタの半導体材料接合を横切ってさらにもたらすことができる請求項３に記載の装置。
【請求項８】
前記伝達システム出力コンダクタは、前記動作主表面上においてその間のコネクターとして延長するコンダクタなしに、その一端において前記増幅器入力へ接続されている請求項１に記載の装置。
【請求項９】
前記結合器は、入力および出力を少なくとも部分的に前記半導体材料基板上に、該半導体材料基板の前記動作主表面に設けて有しており、前記入力に生じている信号を代表する信号を前記出力にもたらすことができる補足増幅器を含み、補足増幅器の前記入力が前記伝達システム入力コンダクタに接続する、請求項１に記載の装置。
【請求項１０】
前記キャパシタおよび前記伝達システムと供に、前記増幅器出力を前記増幅器入力へ電気的に接続するインダクタをさらに備える請求項３に記載の装置。
【請求項１１】
前記伝達システムと供に、前記増幅器出力を前記増幅器入力に電気的に接続する結合器をさらに備え、
前記結合器は、或る選択された入力長さの細長い入力コンダクタを有し、さらに或る選択された出力長さの細長い出力コンダクタを有し、前記入力コンダクタが、前記半導体基板の前記動作主表面に設けられ、一端が、実質的に前記動作主表面において前記増幅器出力に電気的に接続されており、前記出力コンダクタが、前記半導体基板の前記動作主表面に設けられ、一端が、実質的に前記動作主表面において前記増幅器入力に電気的に接続されている、請求項１に記載の装置。
【請求項１２】
前記伝達システムと供に、前記増幅器出力を前記増幅器入力に電気的に接続する結合器を前記回路部分内にさらに備え、
前記結合器は、或る選択された入力長さの細長い入力コンダクタを有し、さらに或る選択された出力長さの細長い出力コンダクタを有し、前記入力コンダクタが、前記半導体基板の前記動作主表面に設けられ、一端が、実質的に前記動作主表面において前記増幅器出力に電気的に接続されており、前記出力コンダクタが、前記半導体基板の前記動作主表面に設けられ、一端が、実質的に前記動作主表面において前記増幅器入力に電気的に接続されている、請求項５に記載の装置。
【請求項１３】
前記伝達システム、前記キャパシタおよび前記インダクタと供に、前記増幅器出力を前記増幅器入力に電気的に接続する結合器をさらに備え、
前記結合器は、或る選択された入力長さの細長い入力コンダクタを有し、さらに或る選択された出力長さの細長い出力コンダクタを有し、前記入力コンダクタが、前記半導体基板の前記動作主表面に設けられ、一端が、実質的に前記動作主表面において前記増幅器出力に電気的に接続されており、前記出力コンダクタが、前記半導体基板の前記動作主表面に設けられ、一端が、実質的に前記動作主表面において前記増幅器入力に電気的に接続されている、請求項１０に記載の装置。
【請求項１４】
集積回路と一緒に形成されたフィードバック発振器装置であって、
・自身の動作主表面と反対側に位置する自身の等電位主表面上に、導電接地面を有している半導体材料基板、
・入力および出力を少なくとも部分的に前記半導体材料基板上に、該半導体材料基板の前記動作主表面に設けて有しており、前記入力に生じている信号を代表する信号を前記出力にもたらすことができる増幅器、
・或る選択された入力長さの細長い入力コンダクタを有し、さらに或る選択された出力長さの細長い出力コンダクタを有している結合器であって、前記入力コンダクタが、前記半導体基板の前記動作主表面に設けられ、一端が前記増幅器出力に電気的に接続されており、前記出力コンダクタが、前記半導体基板の前記動作主表面に、前記入力長さに渡る入力コンダクタが前記出力長さに渡る出力コンダクタと事実上平行である状態で、前記入力コンダクタと密に隣接して配置され、一端が前記増幅器入力に電気的に接続されている結合器、および
・前記結合器出力コンダクタを前記増幅器入力へと自身を介して電気的に接続するキャパシタ
からなる装置。
【請求項１５】
前記半導体材料基板が、ガリウムヒ素で形成されている請求項１４に記載の装置。
【請求項１６】
前記増幅器が、
少なくとも部分的に前記半導体材料内に形成され、第１および第２の終端領域ならびに制御領域を有し、該制御領域により電気的活性化によって、前記第１および第２の終端領域の間に或る選択された導電性の導電経路を実効的にもたらすように導かれることができ、前記第１および第２の終端領域のうちの選択された１つが前記増幅器出力へと接続され、前記制御領域が前記増幅器入力へと接続されているトランジスタ
からなる請求項１４に記載の装置。
【請求項１７】
前記結合器入力コンダクタが、一端が前記増幅器出力へと電気的に接続された連続的な部分を前記動作主表面上に有し、さらに前記動作主表面上の一続きの導電パッドからなる他端を有しており、
該一続きの導電パッドが、該導電パッド間に比較的容易に除去できる部位を有する少なくとも１つの持ち上げられたコンダクタによって相互接続されており、
前記結合器出力コンダクタが、一端が前記増幅器入力へと電気的に接続された連続的な部分を前記動作主表面上に有し、さらに前記動作主表面上の一続きの導電パッドからなる他端を有しており、
該一続きの導電パッドが、該導電パッド間に比較的容易に除去できる部位を有する少なくとも１つの持ち上げられたコンダクタによって相互接続されている
請求項１４に記載の装置。
【請求項１８】
前記キャパシタが、コンダクタが接続されてなるバラクタを含み、該コンダクタを通じて、低周波電圧を前記バラクタの半導体材料接合を横切ってさらにもたらすことができる請求項１４に記載の装置。
【請求項１９】
前記第１および第２の終端領域のうちの残りの１つが、前記導電接地面へと接続されたインダクタンスを有している請求項１６に記載の装置。
【請求項２０】
前記結合器出力コンダクタは、前記動作主表面上においてその間のコネクターとして延長するコンダクタなしに、その一端において前記増幅器入力へ接続されている請求項１４に記載の装置。
【請求項２１】
一端が前記増幅器出力に接続される前記結合器入力コンダクタは、他端においては他の接続がなされていない請求項１４に記載の装置。
【請求項２２】
前記選択された入力長さおよび前記選択された出力長さは、おのおの、前記発振器装置内の信号の発振周波数に関連した波長の４分の１である請求項１４に記載の装置。
【請求項２３】
前記結合器の入力コンダクタおよび出力コンダクタの前記選択された入力長さおよび前記選択された出力長さ、ならびに、伝達システムの入力コンダクタおよび出力コンダクタの選択された入力長さおよび選択された出力長さは、おのおの、前記発振器装置内の信号の発振周波数に関連した波長の４分の１である請求項１４に記載の装置。
【請求項２４】
前記結合器と供に、前記結合器出力コンダクタを前記増幅器入力に電気的に接続する伝達システムをさらに備え、
前記キャパシタおよび前記伝達システムが、それと直列に、共振周波数において極端なインピーダンス値を供に呈するような周波数依存のインピーダンスを有する少なくとも１つの回路部分を有している請求項１４に記載の装置。